(57)【特許請求の範囲】
【請求項１】
音声通話用通信網を利用できないＳＩＭ（Subscriber Identity Module）を利用して音声データ通信を行う、持ち運ばず固定的に設置して使用する電話装置であって、
音声通話用通信網を利用できない、携帯データ通信網のみ使用するＳＩＭと、
前記音声通話用通信網を除く携帯データ通信網との音声データ通信を行う電話装置本体と、該電話装置本体に接続され、マイク及びスピーカーを備える受話器と、
前記携帯データ通信網に対し、発呼側識別情報として当該電話装置を識別する第１電話番号を含み、かつ、着呼側識別情報として通話希望先である第２電話装置を識別する第２電話番号を含む、当該電話装置から前記第２電話装置に対する第１通話要求を、ＳＩＰ（Session Initiation Protocol）サーバー宛に送信する通話要求送信手段と、
前記ＳＩＰサーバーから通知され、発呼側識別情報として前記第２電話番号を含む前記第２電話装置から当該電話装置に対する第２通話要求を、前記携帯データ通信網から取得する通話要求取得手段と、
前記第１通話要求又は前記第２通話要求に基づいて、前記携帯データ通信網を通じて、前記第２電話装置と音声通話を行う音声通話手段と、を有し、
音声通話用通信網を利用可能なＳＩＭを具備しないことを特徴とする電話装置。
【請求項２】
前記電話装置本体の底面４隅に、滑り止め部材が配置されることを特徴とする請求項１に記載の電話装置。
【請求項３】
前記電話装置本体又は前記受話器の何れか一方が、前記第２電話番号入力用の０から９までの整数番号ボタンを備えることを特徴とする請求項１又は２に記載の電話装置。
【請求項４】
前記ＳＩＰサーバーが、着呼側識別情報としての前記第２電話番号に対応するネットワーク上の所在情報（ＩＰ（Internet Protocol）アドレスを含む）に基づいて、前記第１通話要求を前記第２電話装置へ転送し、前記第２電話装置から送信される前記第２通話要求に含まれる着呼側識別情報としての前記第１電話番号に対応するネットワーク上の所在情報（ＩＰアドレスを含む）に基づいて、前記第２通話要求を当該電話装置へ転送することを特徴とする請求項１乃至３の何れか一に記載の電話装置。
【請求項５】
前記音声通話手段が、前記第１通話要求又は前記第２通話要求に基づくセッション形成後、当該電話装置・前記第２電話装置間で、直接、音声通話に関する音声データの送受信を行うことを特徴とする請求項１乃至４の何れか一に記載の電話装置。
【請求項６】
前記音声通話手段が、ＳＩＰゲートウェイを介して、当該電話装置・前記第２電話装置間で、音声通話に関する音声データの送受信を行うことを特徴とする請求項１乃至５の何れか一に記載の電話装置。
【請求項７】
前記ＳＩＰゲートウェイが、前記携帯データ通信網を介して当該電話装置から送信される前記音声データを前記第２電話装置へ転送し、前記第２電話装置から送信される前記音声データを、前記携帯データ通信網を介して当該電話装置へ転送することを特徴とする請求項６に記載の電話装置。
【請求項８】
前記通話要求送信手段が、前記第１通話要求を変調後、前記携帯データ通信網へ送信し、
前記通話要求取得手段が、前記第２通話要求を復調することを特徴とする請求項１乃至７の何れか一に記載の電話装置。
【請求項９】
前記第２通話要求に基づいて、前記第２電話装置から通話要求があった旨を報知する通話要求報知手段を有することを特徴とする請求項１乃至８の何れか一に記載の電話装置。
【請求項１０】
音声通話用通信網を利用できないＳＩＭ（Subscriber Identity Module）を利用して音声データ通信を行う、持ち運ばず固定的に設置して使用する電話装置であって、音声通話用通信網を利用できない、携帯データ通信網のみ使用するＳＩＭと、前記音声通話用通信網を除く携帯データ通信網との音声データ通信を行う電話装置本体と、該電話装置本体に接続され、マイク及びスピーカーを備える受話器と、を有し、音声通話用通信網を利用可能なＳＩＭを具備しない電話装置において行われる電話方法であって、
通話要求送信手段が、前記携帯データ通信網に対し、発呼側識別情報として当該電話装置を識別する第１電話番号を含み、かつ、着呼側識別情報として通話希望先である第２電話装置を識別する第２電話番号を含む、当該電話装置から前記第２電話装置に対する第１通話要求を、ＳＩＰ（Session Initiation Protocol）サーバー宛に送信するステップと、
通話要求取得手段が、前記ＳＩＰサーバーから通知され、発呼側識別情報として前記第２電話番号を含む前記第２電話装置から当該電話装置に対する第２通話要求を、前記携帯データ通信網から取得するステップと、
音声通話手段が、前記第１通話要求又は前記第２通話要求に基づいて、前記携帯データ通信網を通じて、前記第２電話装置と音声通話を行うステップと、を含む電話方法。
【請求項１１】
前記電話装置本体の底面４隅に、滑り止め部材が配置されることを特徴とする請求項１０に記載の電話方法。
【請求項１２】
前記電話装置本体又は前記受話器の何れか一方が、前記第２電話番号入力用の０から９までの整数番号ボタンを備えることを特徴とする請求項１０又は１１に記載の電話方法。
【請求項１３】
前記ＳＩＰサーバーが、着呼側識別情報としての前記第２電話番号に対応するネットワーク上の所在情報（ＩＰ（Internet Protocol）アドレスを含む）に基づいて、前記第１通話要求を前記第２電話装置へ転送し、前記第２電話装置から送信される前記第２通話要求に含まれる着呼側識別情報としての前記第１電話番号に対応するネットワーク上の所在情報（ＩＰアドレスを含む）に基づいて、前記第２通話要求を当該電話装置へ転送することを特徴とする請求項１０乃至１２の何れか一に記載の電話方法。
【請求項１４】
前記音声通話手段が、前記第１通話要求又は前記第２通話要求に基づくセッション形成後、当該電話装置・前記第２電話装置間で、直接、音声通話に関する音声データの送受信を行うことを特徴とする請求項１０乃至１３の何れか一に記載の電話方法。
【請求項１５】
前記音声通話手段が、ＳＩＰゲートウェイを介して、当該電話装置・前記第２電話装置間で、音声通話に関する音声データの送受信を行うことを特徴とする請求項１０乃至１４の何れか一に記載の電話方法。
【請求項１６】
前記ＳＩＰゲートウェイが、前記携帯データ通信網を介して当該電話装置から送信される前記音声データを前記第２電話装置へ転送し、前記第２電話装置から送信される前記音声データを、前記携帯データ通信網を介して当該電話装置へ転送することを特徴とする請求項１５に記載の電話方法。
【請求項１７】
前記通話要求送信手段が、前記第１通話要求を変調後、前記携帯データ通信網へ送信し、
前記通話要求取得手段が、前記第２通話要求を復調することを特徴とする請求項１０乃至１６の何れか一に記載の電話方法。
【請求項１８】
通話要求報知手段が、前記第２通話要求に基づいて、前記第２電話装置から通話要求があった旨を報知するステップを含む請求項１０乃至１７の何れか一に記載の電話方法。
【請求項１９】
コンピューターに、請求項１０乃至１８の何れか一に記載の方法を実行させるための電話プログラム。
【発明の詳細な説明】
【技術分野】
【０００１】
携帯データ通信網を利用する電話装置の技術に関する。
【背景技術】
【０００２】
近年、固定電話の契約者数が大きく減少する一方、携帯電話・ＩＰ電話の契約者数が増加傾向にある中、間もなくアナログ電話回線であるＰＳＴＮ（General Switched Telephone Networks、公衆交換電話網）が廃止される予定である。
【０００３】
そのような状況下、固定電話の加入者数は、２０１７年度末時点で約２０００万契約もあり（情報通信白書  平成３０年度版、総務省）、若年層が携帯電話のみ契約する傾向にあることを考えると、固定電話の契約主体の多くは、高年齢層であることが予想される。
【０００４】
ところで近年、スマートフォン・タブレット型コンピューターなど携帯情報端末が普及し、「いつでも・どこでも・何でも・誰でも」がコンピューターネットワークに接続することができる。それによって、人と人とのコミュニケーションが場所を問わず行うことができ、とても便利な社会が形成されつつある。
【０００５】
そのような背景下、インターネットを利用した音声通話の技術であるＶｏＩＰ（Voice over Internet Protocol）と呼ばれる仕組みが活用され、通話料金などユーザーのコストを下げることに寄与している。
【０００６】
そのＶｏＩＰに関する研究開発も盛んに行われており、例えば、特許文献１では、通信端末がより安定して音声通信を行うことを意図する技術が提案されている。
【先行技術文献】
【特許文献】
【０００７】
【特許文献１】特開２０１６−２１３７１３号公報
【発明の概要】
【発明が解決しようとする課題】
【０００８】
しかしながら、上記従来技術において、アナログ固定電話を利用する高齢者が、その廃止後、携帯情報端末上でＩＰ電話アプリケーションを使用したり、インターネット回線を引き込み、通信機器の初期設定を行ったりすることは負担感が非常に大きいという問題点があった。
【０００９】
従って、本発明においては、上記の問題点に鑑み、アナログ電話回線が廃止されても、ユーザーが使用するアナログ固定電話から、代替手段として負担感なく乗り換えることができる電話装置を提供することを目的とする。
【課題を解決するための手段】
【００１０】
開示する電話装置の一形態は、音声通話用通信網を利用できないＳＩＭ（Subscriber Identity Module）を利用して音声データ通信を行う、持ち運ばず固定的に設置して使用する電話装置であって、音声通話用通信網を利用できない、携帯データ通信網のみ使用するＳＩＭと、前記音声通話用通信網を除く携帯データ通信網との音声データ通信を行う電話装置本体と、該電話装置本体に接続され、マイク及びスピーカーを備える受話器と、前記携帯データ通信網に対し、発呼側識別情報として当該電話装置を識別する第１電話番号を含み、かつ、着呼側識別情報として通話希望先である第２電話装置を識別する第２電話番号を含む、当該電話装置から前記第２電話装置に対する第１通話要求を、ＳＩＰ（Session Initiation Protocol）サーバー宛に送信する通話要求送信手段と、前記ＳＩＰサーバーから通知され、発呼側識別情報として前記第２電話番号を含む前記第２電話装置から当該電話装置に対する第２通話要求を、前記携帯データ通信網から取得する通話要求取得手段と、前記第１通話要求又は前記第２通話要求に基づいて、前記携帯データ通信網を通じて、前記第２電話装置と音声通話を行う音声通話手段と、を有し、音声通話用通信網を利用可能なＳＩＭを具備しないことを特徴とする。
【発明の効果】
【００１１】
開示する電話装置は、アナログ電話回線が廃止されても、ユーザーが使用するアナログ固定電話から、代替手段として負担感なく乗り換えることができる。
【図面の簡単な説明】
【００１２】
【図１】本実施の形態に係る電話装置の概要を説明する図である。
【図２】本実施の形態に係る電話装置の平面概要図である。
【図３】本実施の形態に係る電話装置の底面概要図である。
【図４】本実施の形態に係る電話装置の機能ブロック図である。
【図５】本実施の形態に係る電話装置のハードウエア構成例を示す図である。
【図６】本実施の形態に係る電話装置による架電時処理の流れを示すフローチャートである。
【図７】本実施の形態に係る電話装置による着電時処理の流れを示すフローチャートである。
【図８】本実施の形態に係る電話装置による通話時処理の流れを示すフローチャートである。
【発明を実施するための形態】
【００１３】
図面を参照しながら、本発明を実施するための形態について説明する。
（本実施の形態に係る電話装置の動作原理）
【００１４】
図１乃至４を用いて、本実施の形態に係る電話装置（以下、単に「本装置」という。）１００の動作原理について説明する。図１は、本装置１００と周辺装置との関係を示す図であり、図２及び３は、本装置１００の外観概要を示す図であり、図４は、本装置１００の機能ブロック図である。
【００１５】
図１で示すように、本装置１００は、携帯データ通信網２３０を介して、ＳＩＰ（Session Initiation Protocol）サーバー３４０、ＳＩＰゲートウェイ３５０、第２電話装置２１０と接続される。携帯データ通信網２３０は、通信キャリアが提供する通信網であって、音声通話用通信網２２０とは異なる、データ通信専用の通信網である。
【００１６】
ＳＩＰサーバー３４０は、一般的な機能を備えるＳＩＰサーバーであり、電話番号などの利用者の識別情報とＩＰ（Internet Protocol）アドレスなどのネットワーク上の所在情報３６０とを対応付けるデータを管理し、発信者と通話先の間で発呼情報の仲介（呼制御）を行なう。なお、ＩＰ電話端末１００は、ネットワークに接続されると自らの電話番号３００とＩＰアドレス３６０をＳＩＰサーバー３４０へ知らせる。発呼側端末１００は、ＳＩＰサーバー３４０へ、通話希望先２１０のアドレスを訪ね、発信通知を送る。そして、ＳＩＰサーバー３４０は、通話希望先２１０に発信通知を転送し、通話希望先２１０により許諾されると、発呼側端末１００と通話希望先２１０とが通信を開始する。発呼側端末１００と通話希望先２１０との接続確立後の通信にＳＩＰサーバー３４０は関与せず、端末同士がサーバーやクライアントなどの役割の区別なく対等な立場で、相互にデータを送受信する。
【００１７】
ＳＩＰゲートウェイ３５０は、本装置１００とアナログ電話網との中継・変換を行う通信装置である。アナログ電話機２１０からの接続・通信をＩＰ電話網へ取り次ぐもの、ＩＰ電話機１００からの接続・通信をアナログ電話網へ取り次ぐものが有る。
【００１８】
本装置１００は、音声通話用通信網２２０を利用できないＳＩＭ（Subscriber Identity Module）２５０を備え、音声通話用通信網２２０を利用せず、データ通信専用の携帯データ通信網２３０を介して、第２電話装置２１０と音声通話を行う。なお、本装置１００が直接、音声通話用通信網２２０を利用しないという趣旨であって、第２電話装置２１０による音声通話用通信網２２０の利用は、特に制限されない。本装置１００は、携帯データ通信網２３０のみ使用するＳＩＭ２５０を具備するため、音声通話用通信網２２０を利用可能な音声対応ＳＩＭ２４０に比し、安価に電話サービスを利用できる。
【００１９】
図２で示すように、本装置１００は、電話装置本体３８０、受話器３９０を有し、電話装置本体３８０と受話器３９０は接続される。電話装置本体３８０は、音声通話用通信網２２０を除く携帯データ通信網２３０との音声データ通信２７０を行い、受話器３９０は、マイク及びスピーカーを備える。本装置１００の主な情報処理は、電話装置本体３８０において行われるものであり、受話器３９０は、単なる入出力装置に過ぎないと考えた方が良い場合もある。
【００２０】
図２で示すように、電話装置本体３８０又は受話器３９０の何れか一方が、後述する第２電話番号３１０入力用の０から９までの整数番号ボタンを備える。また、図３で示すように、本装置１００は、持ち運ばず、固定的に設置して使用することを意図しているため、電話装置本体３８０の底面４隅に、滑り止め部材４００が配置される。
【００２１】
上記のように、本装置１００の外観は、近く廃止されるアナログ回線を使用する固定電話の代替手段としての位置付けであるため、従来あるアナログ固定電話の外観をそのまま受け継ぐものである。
【００２２】
図４で示すように、本装置１００は、通話要求生成手段１１０、通話要求送信手段１２０、通話要求取得手段１３０、通話要求報知手段１４０、音声通話手段１５０を有する。
【００２３】
通話要求生成手段１１０は、ユーザー３７０の操作によって入力された通話相手先である第２電話装置２１０を識別する第２電話番号３１０を受け付ける。そして、通話要求生成手段１１０は、発呼側識別情報２８０として本装置１００を識別する第１電話番号３００を含み、かつ、着呼側識別情報２９０として第２電話番号３１０を含む、第１通話要求３２０を生成する。第１通話要求３２０は、本装置１００から第２電話装置２１０に対する通話要求である。
【００２４】
通話要求送信手段１２０は、第１通話要求３２０を変調し、変調後の第１通話要求３２０を携帯データ通信網（音声通話用通信網２２０を除く）２３０に対し、ＳＩＰサーバー３４０宛に送信する。なお、ＳＩＰサーバー３４０は、電話番号などの利用者の識別情報とＩＰアドレスなどのネットワーク上の所在情報３６０とを対応付けるデータを管理している。そのため、ＳＩＰサーバー３４０は、受け取った第１通話要求３２０を、第２電話番号３１０と対応付けられる所在情報３６０で指定される先へ転送する。
【００２５】
通話要求取得手段１３０は、ＳＩＰサーバー３４０から通知され、発呼側識別情報２８０として第２電話番号３１０を含む第２通話要求３３０を、携帯データ通信網２３０から取得する。第２通話要求３３０は、第２電話装置２１０の本装置１００に対する通話要求である。
【００２６】
第２通話要求３３０は、第２電話装置２１０によって生成され、また、ＳＩＰサーバー３３０は、受け取った第２通話要求３３０を、着呼側識別情報２９０として含まれる第１電話番号３００と対応付けられる所在情報３６０で指定される本装置１００へ転送する。通話要求取得手段１３０は、変調された状態の第２通話要求３３０を携帯データ通信網２３０から取得するので、第２通話要求３３０を復調した後、後段の処理を行う。
【００２７】
通話要求報知手段１４０は、復調後の第２通話要求３３０に基づいて、ユーザー３７０に対し、第２電話装置２１０から通話要求があった旨を報知する。通話要求報知手段１４０は、音・光・文字その他の手段によって、第２電話装置２１０から通話要求があった旨を報知する。
【００２８】
音声通話手段１５０は、第１通話要求３２０又は第２通話要求３３０に基づいて、携帯データ通信網２３０を通じて、第２電話装置２１０と音声通話を行う。音声通話手段１５０は、第２電話装置２１０によって第１通話要求３２０が許諾された場合、携帯データ通信網２３０を通じて、第２電話装置２１０と音声通話を行う。また、音声通話手段１５０は、本装置１００のユーザー３７０による第２通話要求３３０を許諾する操作を受け付けた場合、携帯データ通信網２３０を通じて、第２電話装置２１０と音声通話を行う。
【００２９】
音声通話手段１５０は、第１通話要求３２０又は第２通話要求３３０の許諾後、本装置１００・第２電話装置２１０間でセッションを形成した後、両者間で直接、音声通話２６０に関する音声２７０データの送受信を行う形態としても良い。この形態は、第２電話装置２１０がＩＰ電話機の場合を想定している。
【００３０】
音声通話手段１５０は、第１通話要求３２０又は第２通話要求３３０の許諾後、ＳＩＰゲートウェイ３５０を介して、本装置１００・第２電話装置２１０間で音声通話２６０に関する音声２７０データの送受信を行う形態としても良い。この形態は、第２電話装置２１０がアナログ電話機の場合を想定している。なお、ＳＩＰゲートウェイ３５０は、本装置１００とアナログ電話網との中継・変換を行う通信装置であって、アナログ電話機２１０からの接続・通信をＩＰ電話網へ取り次ぐ機能、本装置１００からの接続・通信をアナログ電話網へ取り次ぐ機能を有する。
本装置１００は、上記の動作原理に基づいて、携帯データ通信網２３０を利用し、ユーザー３７０に、安価に電話サービスを利用させることができる。
【００３１】
本装置１００は、近く廃止されるアナログ回線を使用する固定電話の代替手段としての位置付けであるため、上記のように、従来あるアナログ固定電話のユーザーインターフェースをそのまま受け継ぐものである。つまり、本装置１００とアナログ固定電話との違いは、携帯データ通信網２３０に直接接続されるのか、宅内のモジュラージャックに有線で直接接続されるのかの違いであり、ユーザーインターフェースの観点において両者は同一である。
【００３２】
従って、本装置１００は、上記の動作原理に基づいて、アナログ電話回線が廃止されても、ユーザー３７０が使用するアナログ固定電話から、代替手段として負担感なく乗り換えることができる。
（本実施の形態に係る電話装置のハードウエア構成）
【００３３】
図５を用いて、本装置１００のハードウエア構成例について説明する。図５は、本装置１００のハードウエア構成の一例を示す図である。図５で示すように、本装置１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、出力装置（表示装置）４７０、記録媒体Ｉ／Ｆ４８０を有する。
【００３４】
ＣＰＵ４１０は、ＲＯＭ４２０に記憶されたプログラムを実行する装置であり、ＲＡＭ４３０に展開（ロード）されたデータを、プログラムの命令に従って演算処理し、本装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００３５】
補助記憶装置４４０は、基本ソフトウエアであるＯＳ（Operating System）や本実施の形態に係るアプリケーションプログラムなどを、関連するデータとともに記憶する装置であり、例えば、ＨＤＤ（Hard Disk Drive）やフラッシュメモリなどである。
【００３６】
通信Ｉ／Ｆ４５０は、有線・無線ＬＡＮ（Local Area Network）、インターネットなどの通信ネットワークに接続し、通信機能を提供する他装置とデータの授受を行うためのインターフェースである。
【００３７】
入力装置４６０は、キーボードやタッチパネルなど本装置１００にデータ入力を行うための装置である。また、入力装置４６０は、受話器３９０のマイク、第２電話番号３１０入力用の０から９までの整数番号ボタンも含む。出力装置４７０は、ＬＣＤ（Liquid Crystal Display）等で構成される装置であり、本装置１００が有する機能をユーザーが利用する際や各種設定を行う際のユーザーインターフェースとして機能する装置である。また、出力装置４７０は、受話器３９０のスピーカーを含む。
記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００３８】
本装置１００が有する各手段は、ＣＰＵ４１０が、ＲＯＭ４２０又は補助記憶装置４４０に記憶された各手段に対応するプログラムを実行することにより実現される形態としても良い。また、本装置１００が有する各手段は、当該各手段に関する処理をハードウエアとして実現される形態としても良い。また、通信Ｉ／Ｆ４５０を介して外部サーバー装置から本発明に係るプログラムを読み込ませたり、記録媒体Ｉ／Ｆ４８０を介して記録媒体４９０から本発明に係るプログラムを読み込ませたりして、本装置１００に当該プログラムを実行させる形態としても良い。
（本実施の形態に係る電話装置による処理の流れ）
（１）本装置１００による架電時処理
図６を用いて、本装置１００による架電時処理の一例の流れを説明する。図６は、本装置１００による架電時処理の一例の流れ示すフローチャートである。
【００３９】
Ｓ１０で通話要求生成手段１１０が、ユーザー３７０の操作によって入力される第２電話装置２１０を識別する第２電話番号３１０を受け付ける。そして、Ｓ２０で通話要求生成手段１１０が、発呼側識別情報２８０として第１電話番号３００を含み、かつ、着呼側識別情報２９０として第２電話番号３１０を含む、第１通話要求３２０を生成する。第１通話要求３２０は、本装置１００から第２電話装置２１０に対する通話要求である。
【００４０】
Ｓ３０で通話要求送信手段１２０が、Ｓ２０において生成される第１通話要求３２０を変調し、変調後の第１通話要求３２０を携帯データ通信網（音声通話用通信網２２０を除く）２３０に対し、ＳＩＰサーバー３４０宛に送信する。
【００４１】
なお、ＳＩＰサーバー３４０は、電話番号などの利用者の識別情報とＩＰアドレスなどのネットワーク上の所在情報３６０とを対応付けるデータを管理している。
【００４２】
Ｓ４０でＳＩＰサーバー３４０が、Ｓ３０において送信される第１通話要求３２０に着呼側識別情報２９０として含まれる第２電話番号３１０と対応付けられる所在情報３６０で指定される先へ、第１通話要求３２０を転送する。
Ｓ５０で第２電話装置２１０が、Ｓ４０において転送された第１通話要求３２０を取得し、第１通話要求３２０の許諾又は拒否に係る処理を行う。
（２）本装置１００による着電時処理
図７を用いて、本装置１００による着電時処理の一例の流れを説明する。図７は、本装置１００による着電時処理の一例の流れ示すフローチャートである。
【００４３】
Ｓ１１０で第２電話装置２１０が、発呼側識別情報２８０として第２電話番号３１０を含み、かつ、着呼側識別情報２９０として第１電話番号３００を含む第２通話要求３３０を生成し、ＳＩＰサーバー３４０宛に送信する。第２通話要求３３０は、第２電話装置２１０の本装置１００に対する通話要求である。
【００４４】
Ｓ１２０でＳＩＰサーバー３４０が、Ｓ１１０において送信される第２通話要求３３０に着呼側識別情報２９０として含まれる第１電話番号３００と対応付けられる所在情報３６０で指定される先へ、第２通話要求３３０を転送する。
【００４５】
Ｓ１３０で通話要求取得手段１３０が、ＳＩＰサーバー３４０から通知され、発呼側識別情報２８０として第２電話番号３１０を含む第２通話要求３３０を、携帯データ通信網２３０から取得する。通話要求取得手段１３０は、変調された状態の第２通話要求３３０を携帯データ通信網２３０から取得するので、第２通話要求３３０を復調した後、後段の処理を行う。
【００４６】
Ｓ１４０で通話要求報知手段１４０が、復調後の第２通話要求３３０に基づいて、ユーザー３７０に対し、第２電話装置２１０から通話要求があった旨を報知する。通話要求報知手段１４０は、音・光・文字その他の手段によって、第２電話装置２１０から通話要求があった旨を報知する。
（３）本装置１００による通話時処理
図８を用いて、本装置１００による通話時処理の一例の流れを説明する。図８は、本装置１００による通話時処理の一例の流れ示すフローチャートである。
【００４７】
Ｓ２１０で音声通話手段１５０が、第１通話要求３２０又は第２通話要求３３０に基づいて、携帯データ通信網２３０を通じて、第２電話装置２１０と音声通話を行う。音声通話手段１５０は、第２電話装置２１０によって第１通話要求３２０が許諾された場合、携帯データ通信網２３０を通じて、第２電話装置２１０と音声通話を行う。また、音声通話手段１５０は、本装置１００のユーザー３７０による第２通話要求３３０を許諾する操作を受け付けた場合、携帯データ通信網２３０を通じて、第２電話装置２１０と音声通話を行う。
【００４８】
音声通話手段１５０は、第１通話要求３２０又は第２通話要求３３０の許諾後、本装置１００・第２電話装置２１０間でセッションを形成した後、両者間で直接、音声通話２６０に関する音声２７０データの送受信を行う形態としても良い。この形態は、第２電話装置２１０がＩＰ電話機の場合を想定している。
【００４９】
音声通話手段１５０は、第１通話要求３２０又は第２通話要求３３０の許諾後、ＳＩＰゲートウェイ３５０を介して、本装置１００・第２電話装置２１０間で音声通話２６０に関する音声２７０データの送受信を行う形態としても良い。この形態は、第２電話装置２１０がアナログ電話機の場合を想定している。
【００５０】
なお、ＳＩＰゲートウェイ３５０は、本装置１００とアナログ電話網との中継・変換を行う通信装置であって、アナログ電話機２１０からの接続・通信をＩＰ電話網へ取り次ぐ機能、本装置１００からの接続・通信をアナログ電話網へ取り次ぐ機能を有する。
上記処理によって、本装置１００は、携帯データ通信網２３０を利用し、ユーザー３７０に、安価に電話サービスを利用させることができる。
【００５１】
本装置１００は、近く廃止されるアナログ回線を使用する固定電話の代替手段としての位置付けであるため、上記処理のように、従来あるアナログ固定電話のユーザーインターフェースをそのまま受け継ぐものである。つまり、本装置１００とアナログ固定電話との違いは、携帯データ通信網２３０に直接接続されるのか、宅内のモジュラージャックに有線で直接接続されるのかの違いであり、ユーザーインターフェースの観点では両者は同一である。
【００５２】
従って、本装置１００は、上記の処理に基づいて、アナログ電話回線が廃止されても、ユーザー３７０が使用するアナログ固定電話から、代替手段として負担感なく乗り換えることができる。
【００５３】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５４】
１００  電話装置
１１０  通話要求生成手段
１２０  通話要求送信手段
１３０  通話要求取得手段
１４０  通話要求報知手段
１５０  音声通話手段
２１０  第２電話装置
２２０  音声通話用通信網
２３０  携帯データ通信網
２４０  音声対応ＳＩＭ
２５０  データＳＩＭ
２６０  音声通話
２７０  音声データ
２８０  発呼側識別情報
２９０  着呼側識別情報
３００  第１電話番号
３１０  第２電話番号
３２０  第１通話要求
３３０  第２通話要求
３４０  ＳＩＰサーバー
３５０  ＳＩＰゲートウェイ
３６０  ネットワーク上の所在情報（例えば、ＩＰアドレス）
３７０  ユーザー
３８０  電話装置本体
３９０  受話器
４００  滑り止め部材
４１０  ＣＰＵ
４２０  ＲＯＭ
４３０  ＲＡＭ
４４０  補助記憶装置
４５０  通信ネットワーク
４６０  入力装置
４７０  出力装置
４８０  記憶媒体Ｉ／Ｆ
４９０  記憶媒体
【要約】      （修正有）【課題】アナログ電話回線が廃止されても、ユーザーが使用するアナログ固定電話から、代替手段として負担感なく乗り換えることができる電話装置を提供する。【解決手段】データＳＩＭを利用して音声データ通信を行う電話装置であって、音声通話用通信網を除く携帯データ通信網に対し、発呼側識別情報として当該電話装置を識別する第１電話番号を含み、かつ、着呼側識別情報として通話希望先である第２電話装置を識別する第２電話番号を含む、当該電話装置から第２電話装置に対する第１通話要求を、ＳＩＰサーバー宛に送信する手段と、ＳＩＰサーバーから通知され、発呼側識別情報として第２電話番号を含む第２電話装置から当該電話装置に対する第２通話要求を、携帯データ通信網から取得する手段と、第１通話要求又は第２通話要求に基づいて、携帯データ通信網を通じて、第２電話装置と音声通話を行う手段と、を有する。【選択図】図４【図１】
0006894154.tif 000002
【図２】
0006894154.tif 000003
【図３】
0006894154.tif 000004
【図４】
0006894154.tif 000005
【図５】
0006894154.tif 000006
【図６】
0006894154.tif 000007
【図７】
0006894154.tif 000008
【図８】
0006894154.tif 000009